(57)【要約】【課題】可動操作部材の金属製外カバーに帯電する静電気を除去する。【解決手段】グリップ部１１は、金属性の外カバー１７とその外カバー１１が被せられる樹脂性の操作部材１６とで構成されており、カメラの電源操作時にスライド操作される。操作部材１６は、スライダー板２０に取り付けられている。スライダー板２０は、前カバー２３の開口２４を通して固定板２１にスライド自在に支持されている。固定板２１は、カメラボディ２２のアース電位部材２７，２８に固定されている。スライダー板２０の一端に、弾性自在な腕部３２を折り曲げ形成し、腕部３２の先端３２ａを操作部材１６に設けた開口３３を通して外カバー１７の裏面３４に接触させた。【選択図】　　　　図３
2004126299.tif 000002
【特許請求の範囲】
【請求項１】
外面が導電性の外カバーで覆われた非導電性の操作部材と、前記操作部材を外部に露呈する開口を設けた導電性の本体カバーと、前記外カバーと本体カバーとの間に一定の隙間を確保した状態で前記開口を通して前記操作部材を移動自在に支持する導電性の支持部材とを備え、
前記支持部材には、前記操作部材の内側から前記外カバーの裏面の一部に接触する突起片と、前記開口を通して本体カバーの裏面又はカメラボディに設けたアース電位部材に接触する導通部とが設けられていることを特徴とするカメラ。
【請求項２】
前記支持部材は、前記操作部材を前記外カバーに対して逆側の内面から支持し、前記操作部材と一緒に移動する導電性のスライダー板と、前記スライダー板を移動自在に支持する導電性の固定板とで構成されており、前記外カバーの裏面を露呈する導通用開口を前記操作部材に設け、前記スライダー板に設けた突起片を前記導通用開口を通して外カバーの裏面に接触させ、また前記固定板に設けた導通部を前記本体カバーの裏面又はカメラボディに設けたアース電位部材に接触させたことを特徴とする請求項１記載のカメラ。
【請求項３】
前記突起片を、弾性変形自在な腕部とし、前記腕部を自身弾性により前記外カバーの裏面に常に付勢するようにしたことを特徴とする請求項１又は２記載のカメラ。
【発明の詳細な説明】
【０００１】
【発明の属する技術分野】
本発明は、電子カメラ、写真用カメラ、及びビデオカメラ等のカメラに関し、更に詳しくは可動操作部材に静電気が蓄積するのを防止するカメラに関するものである。
【０００２】
【従来の技術】
従来、電子回路装置では、誤動作や破損を防止するためにアース対策が行われている（特許文献１）。
【０００３】
近年、被写体を撮像素子（ＣＣＤ）によって撮像した動画や静止画をメモリカード等に記憶する電子カメラが多く市販されている。このような電子スチルカメラでは、外観の見栄えを良くするためや耐久性の向上のために、外カバーや外部操作部材の表面に金属メッキや金属蒸着が施されることが多くなっている。特に操作部材の場合には、操作時にカメラボディに対して可動する。その時、カメラボディの本体カバーに接触してその本体カバーに傷を付けないように、操作部材は本体カバーとの間で一定の隙間を保って支持されている。
【０００４】
【特許文献１】
特開平１１−２３３９８８号公報
【０００５】
【発明が解決しようとする課題】
しかしながら、前述した操作部材は、本体カバーとの間で一定隙間を保って支持されているため、操作する際に指先や衣服に蓄積した静電気が表面の金属部材に帯電しやすい。帯電した静電気が放電すると、カメラボディの内部に設けた電子回路やそれに搭載したマイクロコンピュータ等のチップを破壊する静電破壊が起きるおそれがある。そこで、操作部材の表面とアース電位のシャーシとを繋ぐフレキシブルなアース線を設けることが知られている。しかし、アース線で繋ぐ構成は部品点数が増え、またアース線を取り付ける作業が面倒となり、組立性及びコストの面から採用し難かった。
【０００６】
本発明は、可動の操作部材の金属部に帯電する静電気による静電破壊を有効に防止できる構造を簡便な組立で達成することができるカメラをローコストで提供することを目的とする。
【０００７】
【課題を解決するための手段】
上記目的を達成するために、本発明のカメラでは、外面が導電性の外カバーで覆われた非導電性の操作部材と、前記操作部材を外部に露呈する開口を設けた導電性の本体カバーと、前記外カバーと本体カバーとの間に一定の隙間を確保した状態で前記開口を通して前記操作部材を移動自在に支持する導電性の支持部材とを備え、前記支持部材に、前記操作部材の内側から前記外カバーの裏面の一部に接触する突起片と、前記開口を通して本体カバーの裏面又はカメラボディに設けたアース電位部材に接触する導通部とを設けたものである。
【０００８】
支持部材としては、前記操作部材を前記外カバーに対して逆側の内面から支持し、前記操作部材と一緒に移動する導電性のスライダー板と、前記スライダー板を移動自在に支持する導電性の固定板とで構成したものでもよい。この場合には、前記外カバーの裏面を露呈する導通用開口を操作部材に設け、前記スライダー板に設けた突起部を前記導通用開口を通して外カバーの裏面に接触させ、前記固定板に設けた導通部を前記本体カバーの裏面又はカメラボディに設けたアース電位部材に接触させればよい。また、突起片を、弾性自在に折り曲げて腕部として形成し、自身の弾性により常に外カバーの裏面に当接するように構成してもよい。
【０００９】
【発明の実施の形態】
図１及び図２に示すように、電子スチルカメラ１０には、正面から見てボディ前面の左側に縦長矩形のグリップ部１１が設けられている。グリップ部１１は、前面が指掛かりとなるように隆起している。このグリップ部１１は、横方向にスライド自在となっており、正面視において右に向けて移動させることでカメラ１０の電源がＯＦＦし、また、左に向けて移動させることでカメラ１０の電源がＯＮする。電願がＯＦＦすると、図１に示すように、撮影窓１２の内部に鏡筒が収納され、レンズカバー１３が撮影窓１２を遮蔽した不使用状態となる。電源がＯＮすると、図２に示すように、レンズカバー１３が待避して撮影窓１２から鏡筒１４が繰り出す使用状態となる。このようにグリップ部１１は、グリップの機能に加えてカメラ１０の電源スイッチの機能も兼ねている。
【００１０】
図３において、グリップ部１１は、非導電性の操作部材１６の外面に、導電性の金属製、例えばアルミニウム製の外カバー１７を被せた構成となっている。操作部材１６は樹脂製の部品となっている。外カバー１７は、両面テープ１８により操作部材１６に固着されている。
【００１１】
グリップ部１１は、支持部材１９で支持されている。支持部材１９は、スライダー板２０と固定板２１とで構成されている。スライダー板２０は、操作部材１６の裏面に螺子止めにて固着され、グリップ部１１と一緒に移動する。固定板２１は、カメラボディ２２に螺子止めにて固定されており、前カバー２３の開口２４を通して前面でスライダー板２０を横方向に摺動自在に支持する。スライダー板２０と固定板２１とは、それぞれ導電性の金属材料で形成されており、固定板２１を止める螺子２５，２６によりカメラボディ２２に固定されたアース電位部材２７，２８に導通している。なお、操作部材１６の裏面には突起２９が形成されており、この突起２９が開口２４を通してカメラボディ２２に設けた電源スイッチ３０を開閉する。
【００１２】
スライダー板２０には、図４にも示すように、一部を折り曲げて形成した弾性自在な腕部３２が一体に設けられている。腕部３２は、弾性自在な突出片として形成されており、自身の弾性により操作部材１６に設けた導通用開口３３を通して外カバー１７の裏面３４を常に圧接している。
【００１３】
グリップ部１１の横には、化粧板４０が配される。化粧板４０には、撮影窓１２の他に、ストロボ発光窓、ファインダー対物窓などが設けられており、前カバー２３の前面でかつグリップ部１１の横に取り付けられる。化粧板４０のグリップ部１１に対峙する面には、スライダー板２０の出入りを許容する切り欠き部４１が設けられている。このグリップ部１１と化粧板４０とで前カバー２３の開口２４、及びスライダー板２０が隠される。
【００１４】
図５に示すように、外カバー１７は、前カバー２３への傷防止のために、前カバー２３との間に一定の隙間を確保した状態で操作部材１６に取り付けられており、グリップ部１１を操作しても前カバー２３に接触することながない。このため、外カバー１７が浮遊した状態となっている。これにより、グリップ部１１を移動操作するときに、静電気が蓄積した手や衣服等で外カバー１７に触れた場合静電気が帯電する。しかしながら、外カバー１７の裏面には腕部３２の先端３２ａが接触しているため、外カバー１７に帯電した静電気がスライダー板２０、及び固定板２１を介してカメラボディ２２のアース電位部材２７，２８に流れ、静電破壊を未然に防止することができる。
【００１５】
上記実施形態では、グリップ部１１と一緒に移動するスライダー板２０に腕部３２を設けているが、スライダー板２０に設ける代わりに、固定板２１に腕部３２を設けても良い。この場合には、グリップ部１１と一緒に腕部３２が移動しないため、腕部３２に当たらないように操作部材１６の導通用開口３３を横に広く形成する必要がある。そして、腕部３２の先端３２ａを外カバー１７の裏面に摺動させればよい。これによれば、自身の弾性により腕部３２が外カバー１７の裏面３４に当接する方向に付勢しているから、外カバー１７の裏面３４が起伏していても腕部３２を外カバー１７に常に接触させることができる。
【００１６】
また、グリップ兼用の電源スイッチとして説明したが、各種モードの設定等に用いる操作スイッチでも同様の構成を適用できる。更に、操作スイッチだけでなく、あらゆる可動部材に適用可能である。腕部３２としての形状は、図面にきさした形状以外でもよい。また腕部３２を弾性変形自在に折り曲げ形成する代わりに、単に突出した片としてもよい。また、導通用開口３３を通して接触させる代わりに、その突出片を側面に伸ばし、そしてＬ字状に立ち上げて外カバー１７と操作部材１６との間で挟み込むように固定してもよい。
【００１７】
【発明の効果】
以上のように、本発明のカメラによれば、外面が導電性の外カバーで覆われた非導電性の操作部材と、前記操作部材を外部に露呈する開口を設けた導電性の本体カバーと、前記外カバーと本体カバーとの間に一定の隙間を確保した状態で前記開口を通して前記操作部材を移動自在に支持する導電性の支持部材とを備え、前記支持部材に、前記操作部材の内側から前記外カバーの裏面の一部に接触する突起片と、前記開口を通して本体カバーの裏面又はカメラボディに設けたアース電位部材に接触する導通部とを設けたから、静電気が蓄積した指先や衣服等で操作ボタンを触れた場合でも、静電気は外カバーからアース電位部材に伝わり、内部のマイクロコンピュータ等が静電破壊されることを未然に防止することができる。
【図面の簡単な説明】
【図１】本発明を採用したカメラの不使用状態を示す斜視図である。
【図２】カメラの使用状態を示す斜視図である。
【図３】グリップ部及び前カバーの構造を示す分解斜視図である。
【図４】グリップ部の要部を示す分解斜視図である。
【図５】グリップ部の断面図であり、カメラボディの内部の構造を省略して記載している。
【符号の説明】
１０　電子カメラ
１１　グリップ部
１６　操作部材
１７　外カバー
２０　スライダー板
２１　固定板
２３　前カバー
３２　腕部
３３　導通用開口
４０　化粧板
【図１】
2004126299.tif 000003
【図２】
2004126299.tif 000004
【図３】
2004126299.tif 000005
【図４】
2004126299.tif 000006
【図５】
2004126299.tif 000007